(57)【要約】【課題】    多角形をした小窓の一縁部に設けた軸を中心として回動することで開閉することが出来、開閉した状態で開口する空間に網部材を着脱可能に取付けた網戸構造の提供。【解決手段】  網部材５は無数の小さな網目を有すシートを折畳んで概略Ｕ形を成してアコーディオンのように伸縮し、そして、表面側と背面側には概略Ｕ形の取付け板１８，１９を設け、表面側の取付け板１８は小窓４の背面に取付けられ、背面側の取付け板１９は小窓４が取付けられるパネル３に取付けられ、しかも上記取付け板１８，１９は着脱可能な取付け構造としている。【選択図】    図５
2010133107.tif 000002
【特許請求の範囲】
【請求項１】
多角形をした小窓の一縁部に設けた軸を中心として回動することで開閉することが出来、押し開いた状態で開口する空間に網部材を取付けた網戸構造において、上記網部材は無数の小さな網目を有すシートを折畳んで概略Ｕ形を成してアコーディオンのように伸縮し、そして表面側と背面側には概略Ｕ形の取付け板を設け、表面側の取付け板は小窓の背面に取付けられ、背面側の取付け板は小窓が設けられる部材に取付けられ、しかも上記取付け板は着脱可能な取付け構造としていることを特徴とする網戸構造。
【請求項２】
上記小窓の背面に取付け板が係止して取付けられる係止片を設け、小窓が設けられる側の部材には取付け板が嵌って係止する係止溝を形成した請求項１記載の網戸構造。
【請求項３】
上記概略Ｕ形の取付け板を両側取付け板と下取付け板とに分離した請求項１、又は請求項２記載の網戸構造。
【請求項４】
多角形をした小窓の一縁部に設けた軸を中心として回動することで開閉することが出来、押し開いた状態で開口する空間に取付ける網部材において、上記網部材は無数の小さな網目を有すシートを折畳んで概略Ｕ形を成してアコーディオンのように伸縮し、そして、表面側と背面側には概略Ｕ形の取付け板を設けたことを特徴とする網部材。
【請求項５】
上記概略Ｕ形の取付け板を両側取付け板と下取付け板とに分離した請求項４記載の網部材。
【発明の詳細な説明】
【技術分野】
【０００１】
本発明はアコーディオン式網部材を簡単に着脱可能とし、そして意匠性、採光性、視覚性を高めた網戸構造に関するものである。
【背景技術】
【０００２】
網戸は一般に建物の窓枠に設けたレールにガラス戸と併設して取付けられ、ガラス戸を開くならば、虫の侵入を防止して風を取り入れることが出来る。そこで、従来の網戸はガラス戸から独立した構造であり、不必要になれば窓枠から取外すことが出来るが、ガラス戸の外側に取付けた場合、該網戸は常に外から見えてしまう。逆にガラス戸の内側に取付けているならば、部屋内部から見えるようになり、網戸によって窓の美感が損なわれる。
【０００３】
図６は従来の網戸を示す具体例である。（ａ）は上側半分を網部材（イ）とし、小窓（ロ）が網部材（イ）と共に取付けられ、小窓（ロ）は押し開くことが出来る構造としている。従って、小窓（ロ）を開くならば、上側の網部材（イ）から外気を取り入れることが出来、小窓（ロ）を閉じるならばガラス戸として機能する。同図の（ｂ）は網戸（ハ）がガラス戸（ニ）と併設して窓枠に取付けられている場合である。網戸（ハ）はガラス戸（ニ）と同じ大きさで、２枚のガラス戸（ニ）、（ニ）が重なり合うように併設すれば網戸（ハ）から外気を取り入れることが出来る。
【０００４】
ところで、網部材（イ）や網戸（ハ）が併設されることで採光性及び視界が悪くなるといった問題もある。そこで、意匠性、採光性、及び視界を向上する為にガラス戸（ニ）に網戸（ハ）を併設することなく、又小窓（ロ）に網部材（イ）を併設することなく、ガラス戸に網戸を組み込んで一体化した構造の網戸付きガラス戸が知られている。
【０００５】
特開２００２−９７８７３号に係る「収納網戸」は、採光窓において、通気のために開閉戸を開いた時、昆虫やゴミ等が侵入しないようにすると共に、採光においても光が遮られることのない収納網戸である。
そこで、 建物の開口縁に固定される窓枠に透光性を有する開閉戸を配置した窓において、開閉戸の一縁辺部を軸縁辺部とすると共に軸縁辺部以外の縁辺部を回動縁辺部としている。開閉戸を軸縁辺部を軸にして回動開閉自在に窓枠に配置して開閉戸の開時に窓枠と開閉戸との間に通気隙間を形成し、開閉戸の閉時に開閉戸の回動縁辺部と対応する窓枠の枠片を回動縁枠片として、前記通気隙間を覆う通気性網の一端部を少なくとも回動縁辺部に接続すると共に他端部を少なくとも回動縁枠片に接続している。
【０００６】
特開平１１−１１７６３７号に係る「採光・通風窓」は、窓を押し開き式にし、窓開時には、その開口面がスクリーンフィルターで外気と遮蔽され、閉時には、窓枠の一端側に収納され、常に視界の妨げにならないように、収納しておくことが可能なスクリーンフィルターを付属する採光・通風窓である。
そこで、透光性板材の嵌めこまれた窓障子の一辺を軸辺として、窓障子の回動により窓障子の他の三辺と窓枠の他の三辺との間が開閉される窓であって、開閉する窓障子の他の三辺に、窓閉時には折り畳まれ、窓開時には窓障子と窓枠との間の開部を覆うように開くアコーディオン式のスクリーンフィルターが付属されている。
【０００７】
ところで、上記網又はスクリーンフィルターは時の経過に伴って汚れが付着し、該汚れを洗浄する必要がある。しかし、網又はスクリーンフィルターを単独で取外すことは容易でなく、メンテナンスの際には多くの手間が必要となってコストがかかる。汚れを落とすだけであれば取付けた状態で可能であるが、破れるなどの損傷が生じた時には交換しなくてはならない。
【特許文献１】特開２００２−９７８７３号に係る「収納網戸」
【特許文献２】特開平１１−１１７６３７号に係る「採光・通風窓」
【発明の開示】
【発明が解決しようとする課題】
【０００８】
このように従来の網戸構造には上記のごとき問題がある。本発明が解決しようとする課題はこの問題点であり、意匠性、採光性、視界を向上させると共に、汚れが付着した場合に網部材を簡単に取外して洗浄し、再び取付けることが出来、又損傷した場合には新たな網部材と交換することが出来るように構成した網部材、及び該網部材を備えた網戸構造を提供する。
【課題を解決するための手段】
【０００９】
本発明に係る網戸構造は小窓の一縁辺部を軸支し、それ以外の縁辺部を回動縁辺部としている。小窓は一縁辺部を軸にして回動自在に取付けられ、小窓の開時に通気開口を形成し、この通気開口にアコーディオン式網部材を取付けている。そして、小窓を閉じるならば上記アコーディオン式網部材は折畳まれる。網部材は無数の小さな網目を形成して通気性を有している。
【００１０】
ここで、小窓を回動する為の軸は上側、又は側端に設ける場合、時には下側に設ける場合があり、押し開くことで該軸を中心として回動することで開口する。そして、アコーディオン式の網部材はその表面側と背面側に概略Ｕ形の取付け板が設けられている。一方の取付け板は小窓の背面側に着脱可能に取付けられ、他方の取付け板も小窓が取付けられる枠体側に連結して着脱可能な取付け構造としている。
【発明の効果】
【００１１】
本発明に係る網戸構造は、小窓を押し開いた際に形成される開口にアコーディオン式網部材が張巡らされ、虫などの侵入を防止することが出来る。そして、小窓を閉じた場合にはアコーディオン式網部材は折畳まれて外に現れることはなく、網部材にて窓の美感が損なわれることはない。そして、網部材にて小窓を通して見る視界が遮られることもなく、採光性も良好である。
【００１２】
一方、本発明の網戸構造では網部材は着脱可能な構造としている為に、網部材に汚れが付着した場合には小窓から取外して洗浄することが出来る。又、薄い網で構成している網部材が破れるなどの損傷が発生した際には、新たな網部材と簡単に交換できる。
【実施例】
【００１３】
図１は本発明の網戸構造を備えた折畳み扉を示す実施例である。同図の折畳み扉１ａ，１ｂは窓枠に対を成して装着され、該折畳み扉１ａは２枚のパネル２ａ，３ａが継手部を介して互いに折畳むことが出来るように連結して構成され、折畳み扉１ｂは同じく２枚のパネル２ｂ，３ｂが継手部を介して互いに折畳み出来るように連結している。図１の（ａ）は対を成す折畳み扉１ａ，１ｂが共に伸長して窓が閉じている場合、（ｂ）は折畳み扉１ａ，１ｂが共に折畳まれて窓が開口している場合を表している。
【００１４】
ところで、同図に示す折畳み扉１ａ，１ｂのパネル３ａ，３ｂにはガラスを嵌めた小窓４ａ，４ａ，４ｂ，４ｂが取付けられていて、これら各小窓４ａ，４ａ，４ｂ，４ｂは押開くことが出来る。小窓４ａ，４ａは折畳み扉１ａの戸先側パネル３ａの上部と下部に開閉可能に取付けられ、小窓４ｂ，４ｂは折畳み扉１ｂの戸先側パネル３ｂの上部と下部に開閉可能に取付けられている。ここで、同図に示す実施例では小窓４ａ，４ａ，４ｂ，４ｂの形状を長方形としているが、この形に限定するものではない。
【００１５】
図１（ｃ）は上記４枚の小窓４ａ，４ａ，４ｂ，４ｂを押開いた状態を表している。（ｃ）の斜線は本発明の網部材５ａ，５ａ，５ｂ，５ｂを示し、小窓４ａ，４ａ，４ｂ，４ｂを開くことで開口する空間に取付けられる。すなわち、小窓４ａ，４ａ，４ｂ，４ｂが開いた状態では、その下側及び両側が開口して空間と成り、その為に網部材５ａ，５ａ，５ｂ，５ｂは小窓４ａ，４ａ，４ｂ，４ｂの下側開口及び両側開口を仕切ることが出来る。
【００１６】
ただし、網部材５ａ，５ａ，５ｂ，５ｂは小さい網目を無数に有し、空気は流れることが出来る。すなわち、図１（ｂ）に示すように、両折畳み扉１ａ，１ｂを折畳むことで窓を開くならば室内の空気の出入れを行うことが出来るが、夏場で虫が侵入する季節では両折畳み扉１ａ，１ｂを閉じた状態とし、小窓４ａ，４ａ，４ｂ，４ｂのみを開くことが出来る。
【００１７】
図２はパネル３ｂの縦断面図、図３はパネル３ｂの横断面図を夫々表している。折畳み扉１ｂは前記説明した通り、パネル２ｂとパネル３ｂを有し、パネル２ｂとパネル３ｂは継手部６ｂを介して連結し、パネル３ｂの先端には戸先框７ｂが連結している。パネル３ｂと継手部６ｂとは継手８ｂを介して連結し、パネル３ｂと戸先框７ｂとは継手９ｂを介して連結していて、パネル２ｂとパネル３ｂが折畳まれる時は、継手部６ｂは窓の枠体から前記図１（ｂ）に示すように外側へ張り出す。
【００１８】
ここで、戸先框７ｂは枠体から張り出すことなく、その上端には吊車１０ｂが取着されていて、吊車１０ｂは上枠１１に設けている上レール１２に載っている。パネル２ｂとパネル３ｂが折畳まれる時、すなわち折畳み扉１ｂが折畳まれる時は継手部６ｂが上枠１１から張り出されると共に吊車１０ｂは上レール１２に沿って移動することが出来る。
【００１９】
図３には表示していないが、パネル２ｂは吊元框と継手を介して連結し、吊元框は枠体の縦枠に取付けられている。そして、折畳み扉１ａも折畳み扉１ｂと同じように構成している。ところで、パネル３ｂには２枚の小窓４ｂ，４ｂが上部と下部に取付けられ、しかも外側へ押開くことが出来る構造と成っている。図２においては、上部の小窓４ｂは押開かれ、下部の小窓４ｂは閉じた状態を表している。小窓４ｂはその上縁部が継手１３ｂを介して軸支されていて、小窓４ｂは水平な継手１３ｂを中心として回動することが出来る。
【００２０】
小窓４ｂの下端内側にはハンドル１４ｂが取付けられていて、このハンドル１４ｂを握って外方向へ押圧するならば、小窓４ｂは押開かれる。パネル３ｂには収容部１５ｂが四方に設けられており、小窓４ｂが閉じた場合には該収容部１５ｂに収容されて外側表面はパネル３ｂと同一面となる。そして、収容部１５ｂの底面にはシール材が設けられていて、小窓４ｂが閉じるとシール材に当接して隙間なく密閉する。
【００２１】
ところで、小窓４ｂを外側へ押開いた時に該小窓４ｂの下側及び両側は開口し、この開口に網部材５ｂが取付けられる。図４は網部材５ｂの具体例を表している。網部材５ｂは上端を中心として下側が伸縮し、アコーディオンのように変形することが出来る。そして、表面側と背面側には取付け板が設けられ、該取付け板は側取付け板１６，１６及び下取付け板１７から成っている。
【００２２】
しかし、上記取付け板は側取付け板１６，１６と下取付け板１７に分離しないで、概略Ｕ形の取付け板としてもよい。そこで、表面側の取付け板１８は小窓４ｂに取付けられ、背面側の取付け板１９はパネル３ｂの収容部１５ｂの底面に取付けられる。図５（ａ）〜（ｄ）は網部材５ｂを取付ける場合の作業工程を示しているが、表面側の取付け板１８を小窓４ｂ側に取付け、背面側の取付け板１９をパネル３ｂの収容部１５ｂの底面に取付ける。
【００２３】
そこで、小窓４ｂには係止片２０が設けられ、パネル３ｂ側には係止溝２１を設けている。取付け板１８は係止片２０に係止して取付けられ、取付け板１９は係止溝２１に嵌って係止する。
（ａ）は取付け板１８を係止片２０に係止する場合を示している。
（ｂ）は取付け板１８が係止片２０に係止した状態を示している。
（ｃ）は取付け板１９を係止溝２１に係止する場合を示している。
（ｄ）は取付け板１９が係止溝２１に係止して取付けられた場合を示している。
【００２４】
上記係止片２０は取付け板１８と同じく概略Ｕ形を成し、又係止溝２１も取付け板１９と同じく概略Ｕ形としている。係止片２０に係止した取付け板１８は独りでに外れ難く、一方の取付け板１９は樹脂製で弾性変形することで係止溝２１に嵌ることが出来る。従って、一旦、係止溝２１に嵌った取付け板１９は独りでに該係止溝２１から離脱することはない。
【００２５】
ところで、本発明の網部材５は着脱可能な取付け構造としているが、係止片２０と係止溝２１に限定するものではない。取付け板１８及び取付け板１９を金属製とし、小窓４とパネル３側にマグネットを設けることで、網部材５を所定の位置に取付けることが可能である。
【図面の簡単な説明】
【００２６】
【図１】本発明の網部材を備えた折畳み扉。
【図２】折畳み扉の縦断面図。
【図３】折畳み扉の横断面図。
【図４】網部材を示す具体例。
【図５】網部材を取付ける工程。
【図６】網戸を備えた従来の引戸。
【符号の説明】
【００２７】
１  折畳み扉
２  パネル
３  パネル
４  小窓
５  網部材
６  継手部
７  戸先框
８  継手
９  継手
10  吊車
11  上枠
12  上レール
13  継手
14  ハンドル
15  収容部
16  側取付け部
17  下取付け部
18  取付け板
19  取付け板
20  係止片
21  係止溝
【図１】
2010133107.tif 000003
【図２】
2010133107.tif 000004
【図３】
2010133107.tif 000005
【図４】
2010133107.tif 000006
【図５】
2010133107.tif 000007
【図６】
2010133107.tif 000008